(57)【要約】【課題】黒色表示の品質を向上した反射型表示パネルの実現。【解決手段】対向するように配置された２枚の基板11,12、２枚の基板の対向する表面にそれぞれ形成された透明電極13,14および基板間に封止され透明電極間に印加する電圧により反射状態が変化する反射材料層17を有する反射表示パネル10と、反射表示パネルの背面に配置された光吸収層15と、反射表示パネルの観察面側に配置されたカットフィルタ層19と、を有し、可視波長域において透明電極の反射が最小となる波長は、反射状態にある時の反射材料層の反射主波長と重なり、カットフィルタ層は、反射状態にある時に反射材料層が反射する波長域の光を透過し、透明電極の反射を吸収する分光透過特性を有する反射表示パネル。【選択図】図２
2012208164.tif 000002
【特許請求の範囲】
【請求項１】
対向するように配置された２枚の基板、前記２枚の基板の対向する表面にそれぞれ形成された透明電極および対向する前記２枚の基板間に封止され前記透明電極間に印加する電圧により反射状態が変化する反射材料層を有する反射表示パネルと、
前記反射表示パネルの背面に配置された光吸収層と、
前記反射表示パネルの観察面側に配置されたカットフィルタ層と、を備え、
可視波長域において前記透明電極の反射が最小となる波長は、反射状態にある時の前記反射材料層の反射主波長と重なり、
前記カットフィルタ層は、反射状態にある時に前記反射材料層が反射する波長域の光を透過し、前記透明電極の反射を吸収する分光透過特性を有することを特徴とする反射表示パネル。
【請求項２】
積層した複数枚の反射表示パネルと、
前記積層した複数枚の反射表示パネルの背面に配置された光吸収層と、を備え、
もっとも観察面側に配置されたパネルを除く前記反射表示パネルの可視波長域において前記透明電極の反射が最小となる波長は、反射状態にある時の当該反射表示パネルの前記反射材料層の反射主波長と重なり、
当該反射表示パネルの前記反射材料層が反射状態にある時に反射する波長域の光を透過し、前記透明電極の反射を吸収する分光透過特性を有するカットフィルタ層を、当該反射表示パネルより観察面側に備えることを特徴とする反射表示パネル。
【請求項３】
積層した３枚の前記反射表示パネルを備え、
前記３枚の反射表示パネルの前記反射材料層の反射主波長は、観察面側から順に青色、緑色、赤色であり、
反射主波長が赤色の前記パネルの前記透明電極の反射が最小となる波長は、赤色である請求項２記載の反射表示パネル。
【請求項４】
反射主波長が緑色の前記パネルの前記透明電極の反射が最小となる波長は、緑色である請求項３記載の反射表示パネル。
【請求項５】
前記カットフィルタ層は、
反射主波長が青色の前記パネルと反射主波長が緑色の前記パネルの間に配置された青色カットフィルタと、
反射主波長が緑色の前記パネルと反射主波長が赤色の前記パネルの間に少なくとも緑色を含む赤色以外の色のカットフィルタと、備える請求項４記載の反射表示パネル。
【請求項６】
前記積層した複数枚の反射表示パネルの間に設けられ、隣接する前記反射表示パネルを接着する接着層を備え、
前記接着層は、前記カットフィルタ層として機能する着色層である請求項２から５のいずれか１項記載の反射表示パネル。
【請求項７】
前記反射材料層は、コレステリック液晶を含む請求項１から６のいずれか１項記載の反射表示パネル。
【発明の詳細な説明】
【技術分野】
【０００１】
本発明は、反射型表示パネルに関する。
【背景技術】
【０００２】
今後、電源が無くても表示の保持が可能で、表示内容を電気的に書き換え可能な電子ペーパーが急速に普及するものと予想されている。電子ペーパーは、電源を切断してもメモリ表示可能な超低消費電力と、目に優しく、疲れない反射型の表示と紙のような可撓性があるフレキシブルで薄型の表示体の実現を目指して研究が進められている。電子ペーパーの応用としては、電子ブック、電子新聞、電子ポスター等などが考えられている。
【０００３】
電子ペーパーは、表示方式の違いにより、電気泳動方式、ツイストボール方式、電気化学方式、液晶表示ディスプレイ、有機ＥＬ表示ディスプレイなどに分類される。電気泳動方式は、帯電粒子を空気中や液体中で移動させる方式である。ツイストボール方式は、二色に色分けされた帯電粒子を回転させる方式である。電気化学方式は、電界を印加した際に電気化学反応により着色、消色、変色するような材料を電極間に挟んだ構造の表示素子である。有機ＥＬ表示ディスプレイ（有機エレクトロ・ルミネッセンス表示ディスプレイ）は、有機材料からなる複数の薄膜を陰極と陽極で挟み込んだ構造の自発光型のディスプレイである。液晶ディスプレイは、液晶層をそれぞれ画素電極と対向電極で挟み込んだ構造を有する非自発光型のディスプレイである。
【０００４】
電子ペーパーのカラー表示において有利な方式は液晶方式と電気化学方式である。これらは、反射モードと透過モードとにスイッチングすることが可能なため、積層型の表示素子に適用することができる。たとえば、ＲＧＢ３色の表示パネルを積層すれば、画素面積を最大限活用できるため、明るく、コントラストが高く、発色の良い表示が可能となる。他の方式では、光を透過モードにすることはできないため、カラー表示を行う場合は、表示面に３色に塗り分けたカラーフィルタを配置して、各画素を分割する必要がある。このため、積層型と比較すると、明度や彩度が低くなることが避けられない。
【０００５】
液晶方式では、特定の波長領域の光を選択的に反射するコレステリック液晶がよく用いられる。しかし、コレステリック液晶の反射波長帯が広く、余計な波長領域の光を含むため、色ずれやノイズカットの目的でカラーフィルタを挿入することが、これまでにも提案されている。これらの対策は、反射層の反射光のノイズを除去するものであるため、発色しているときの色ズレは補正することができる。しかし、色ズレを起こす要因は反射層だけでなく、その他に透明電極の反射がある。例えば、人間の目の視感度が高い緑色の波長領域の光を透過するように設計する場合が多い。このような場合、透明電極は、青色および赤色を含むマゼンタ色を反射するため、黒表示は、マゼンタ色が加わった表示色となる。反射層を反射状態として、発色させた状態では、反射層の反射率を調整することにより、色補正が可能であるが、透明電極の反射色が残るため、背面側に黒色層を配置したパネルにおいて反射層を無反射状態（透過状態）として黒表示させたときに、電極の反射色が残り、黒色に赤みや青みなどの色が付き、黒表示の品質を低下させることになる。
【先行技術文献】
【特許文献】
【０００６】
【特許文献１】特開２００１−１０９０１２号公報
【特許文献２】特開２００１−０７５１２１号公報
【発明の概要】
【発明が解決しようとする課題】
【０００７】
実施形態によれば、反射層を無反射状態にしたときに残る透明電極による反射色を低減し、無彩色に近い高品位な黒色表示を行うことができる反射型表示パネルが実現される。
【課題を解決するための手段】
【０００８】
本発明の第１の観点によれば、対向するように配置された２枚の基板、２枚の基板の対向する表面にそれぞれ形成された透明電極および対向する２枚の基板間に封止され透明電極間に印加する電圧により反射状態が変化する反射材料層を有する反射表示パネルと、反射表示パネルの背面に配置された光吸収層と、反射表示パネルの観察面側に配置されたカットフィルタ層と、を有し、可視波長域において透明電極の反射が最小となる波長は、反射状態にある時の反射材料層の反射主波長と重なり、カットフィルタ層は、反射状態にある時に反射材料層が反射する波長域の光を透過し、透明電極の反射を吸収する分光透過特性を有する反射表示パネルが提供される。
【０００９】
本発明の第２の観点によれば、積層した複数枚の反射表示パネルと、積層した複数枚の反射表示パネルの背面に配置された光吸収層と、を備え、もっとも観察面側に配置されたパネルを除く反射表示パネルの可視波長域において前記透明電極の反射が最小となる波長は、反射状態にある時のこの反射表示パネルの反射材料層の反射主波長と重なり、この反射表示パネルの反射材料層が反射状態にある時に反射する波長域の光を透過し、透明電極の反射を吸収する分光透過特性を有するカットフィルタ層を、この反射表示パネルより観察面側に有する反射表示パネルが提供される。
【発明の効果】
【００１０】
実施形態によれば、黒色表示の品質を向上した反射型表示パネルが実現される。
【図面の簡単な説明】
【００１１】
【図１】図１は、実施例１のコレステリック液晶を用いた表示装置（デバイス）の概略構成を示す図である。
【図２】図２は、実施例１で使用される表示パネルの断面構造を示す図である。
【図３】図３は、液晶層をプレーナ状態に設定した時の分光反射特性を示す図である。
【図４】図４は、透明電極（走査電極とデータ電極）の表面反射スペクトルを示す図である。
【図５】図５は、表面側機能層（カラーフィルタ）の透過スペクトルを示す図である。
【図６】図６は、実施例２の表示パネルの断面構造を示す図である。
【図７】図７は、緑色パネルおよび青色パネルを反射状態にした時の反射スペクトルを示し、（Ａ）が緑色パネルおよび青色パネルを反射状態にした時の反射スペクトルを、（Ｂ）は、青色パネルを反射状態にした時の反射スペクトルを示す。
【図８】図８は、緑色パネルの透明電極（走査電極およびデータ電極）の反射スペクトルを示す図である。
【図９】図９は、第１カットフィルタの透過スペクトルを示す図である。
【発明を実施するための形態】
【００１２】
図１は、実施例１のコレステリック液晶を用いた表示装置（デバイス）の概略構成を示す図である。実施例１の表示装置は、コレステリック液晶を用いた表示パネル１０と、駆動部４０と、走査電極駆動回路４２と、データ電極駆動回路４４と、を有する。
【００１３】
また、図２は、実施例１で使用される表示パネル１０の断面構造を示す図である。
【００１４】
まず、図１および図２を参照して、コレステリック液晶を用いた表示パネル１０およびそれを使用した表示装置の概略構成を説明する。
【００１５】
図１は、表示パネル１０を基板に垂直な方向から見た場合を示している。表示パネル１０は、複数の平行な走査電極１３を形成した上側基板１１と、複数の平行なデータ電極１４を形成した下側基板１２を対向して配置し、基板間に液晶を充填した構造を有する。表示パネル１０の背面側には、黒色の光吸収層１５が設けられる。表示パネル１０の観察面側には、後述する表面側機能層１９が透明粘着層１８により接着される。
【００１６】
複数の走査電極１３と複数のデータ電極１４は、透明電極で、基板に垂直な方向から見た場合に、直交するように配置され、走査電極１３とデータ電極１４が交差する領域が画素領域になる。したがって、複数の画素電極はマトリクス状に配置される。上側基板１１と下側基板１２の間に、画素領域を囲むようにシール材１６が設けられ、シール材１６で囲まれた内部空間にコレステリック液晶材料が充填され、液晶層１７が形成される。参照番号２０は、シール材１６で囲まれた内部空間にコレステリック液晶材料を充填するための注入口であり、コレステリック液晶材料の注入後に封止される。
【００１７】
走査電極駆動回路４１は、例えばＴＣＰ（テープキャリアパッケージ）構造の汎用のＳＴＮ用ドライバＩＣなどを搭載し、複数の走査電極１３を駆動する。走査電極駆動回路４１の出力端子は、フレキシブル回路に形成された配線４３により、複数の走査電極１３に接続される。データ電極駆動回路４２は、ＴＣＰ構造の汎用のＳＴＮ用ドライバＩＣなどを搭載し、複数のデータ電極１４を駆動する。データ電極駆動回路４２の出力端子は、フレキシブル回路に形成された配線４４により、複数の走データ電極１４に接続される。なお、走査電極駆動回路４１およびデータ電極駆動回路４２に電源および制御信号を供給する回路が設けられるが、図示は省略している。
【００１８】
また、上側基板１１にデータ電極１４を形成し、下側基板１２に走査電極１３を形成する変形例も可能である。
【００１９】
液晶材料は、ネマティック液晶混合物にカイラル材を１０〜４０重量％添加したコレステリック液晶である。カイラル材０添加率は、ネマティック液晶成分とカイラル材との合計量を１００重量％とした時の値である。ネマティック液晶成分とカイラル材との配合比により、反射する光の色や、その他の各種特性が決定される。
【００２０】
ネマティック液晶成分としては、公知のものを用いることができるが、液晶層２２の駆動電圧を比較的低くするには、誘電率異方性Δεが２０≦Δε≦５０であることが望ましい。また、コレステリック液晶の屈折率異方性Δｎが０．１８≦Δｎ≦０．２４であることが望ましい。屈折率異方性Δｎがこの範囲より小さいと、プレーナ状態での液晶層１７の反射率が低くなる。一方、屈折率異方性Δｎがこの範囲より大きいと、フォーカルコニック状態での液晶層１７の散乱反射が大きくなり、さらに粘度も高くなるため応答速度が低下する。
【００２１】
さらに、液晶層１７の厚さ（セルギャップ）を均一に保持するため、樹脂製または無機酸化物製の球状スペーサを表示面の全面に散布したり、柱状スペーサを層内に複数形成する。液晶層１７のセルギャップｄは２μｍ≦ｄ≦８μｍの範囲であることが好ましい。セルギャップｄがこの範囲より小さいとプレーナ状態での液晶層１７の反射率が低くなり、この範囲より大きいと駆動電圧を高くする必要がある。
【００２２】
上側基板１１および下側基板１２は、透明基材で形成される。このような基板としては、ガラスまたは樹脂基材を挙げることができる。例えば、石英ガラス、ソーダガラス、ホウケイ酸ガラス等のガラス基材、ポリエチレンテレフタレート（PET）、ポリエチレンナフタレート（PEN）、ポリカーボネート(PC)、ポリエーテルサルフォン（PES）、ポリサルフォン（PSF）、ゼオノア、ゼオネックス（以上日本ゼオン製）、アートン（JSR製）といった製品銘柄に代表されるシクロオレフィン系樹脂類を使用することができる。
【００２３】
走査電極１３およびデータ電極１４は、公知の材料で形成でき、例えばインジウム錫酸化物（Indium Tin Oxide；ITO）が代表的であるが、その他インジウム亜鉛酸化物（Indium Zinc  Oxide；IZO）、酸化錫等の酸化物系の透明導電膜、またはアモルファスシリコン等の光導電性膜等を用いることができる。透明電極からの反射色は透明電極を構成する材料によって異なるが、光干渉により干渉色を生じるため、同じ材料であってもその厚みが異なると反射色が異なる。
【００２４】
また、コレステリック液晶を反射層に用いた表示パネルの場合は、透明電極の上に機能膜として、それぞれ絶縁膜や液晶分子の配列を制御するための配向膜（いずれも不図示）がコーティングされていることが好ましい。絶縁膜は、対向する電極間の短絡を防止したり、ガスバリア層として表示パネルの信頼性を向上させたりする機能を有している。また、配向膜には、ポリイミド樹脂、ポリアミドイミド樹脂、ポリエーテルイミド樹脂、ポリビニルブチラール樹脂およびアクリル樹脂等の有機膜や、酸化シリコン、酸化アルミニウム等の無機材料を用いることができる。
【００２５】
以上、コレステリック液晶を用いた表示パネルおよび表示装置（デバイス）の概略構成を説明したが、このような表示パネルおよび表示装置については広く知られているので、これ以上の説明は省略する。
【００２６】
実施例１の表示パネル１０では、液晶層１７は、走査電極１３とデータ電極１４間に電圧を印加することにより、画素ごとに、入射光を反射するプレーナ状態と、入射光を透過するフォーカルコニック状態に、設定することができる。
【００２７】
図３は、液晶層１７をプレーナ状態に設定した時の分光反射特性を示す図である。図３に示した分光反射特性は、表示面に対して上方３０°に配置した光源から測定光を入射し、上方０°（真上）に受光器を置き、分光光度計にて反射スペクトルを測定した。参照光は、白色板に対する反射光を使用した。以下、液晶層の分光反射特性は、同様の方法で測定した。
【００２８】
図３に示すように、プレーナ状態の液晶層１７は、６６０ｎｍ付近を中心波長として、５５０ｎｍ〜７８０ｎｍの波長範囲で相対的に高い反射率を有する。ここでは、反射の中心波長を、反射主波長と称する。
【００２９】
実施例１では、上側基板１１および下側基板１２は、ポリカーボネート製である。走査電極１３とデータ電極１４は、膜厚１７０ｎｍのＩＺＯ層である。
【００３０】
図４は、走査電極１３とデータ電極１４の表面反射スペクトルを示す図である。図４に示した表面反射スペクトルは、電極面に対して上方−７．５°に配置した光源から測定光を入射し、上方＋７．５°に受光器を置き、分光光度計にて反射スペクトルを測定した。参照光は、光源からの測定光を直接受光器に入射させた光を使用した。以下、電極の表面反射スペクトルは、同様の方法で測定した。
【００３１】
図４に示すように、電極の反射スペクトルは、可視領域においては、６４０ｎｍ付近の反射率が最小で、４５０ｎｍ付近で反射率が最大になる。言い換えれば、電極の反射スペクトルは、青色〜緑色で比較的大きな反射率を有する。
【００３２】
図５は、表面側機能層１９の透過スペクトルを示す図である。図５に示した透過スペクトルは、カットフィルタを透明基材に貼り付け、フィルタ面の下方１８０°（真下）に光源から測定光を入射し、フィルタ面を透過した光を、上方０°（真上）にて受光したときの透過スペクトルを測定した。参照光は、光源からの測定光を透明基材のみを透過させた光を使用した。以下、フィルタの透過スペクトルは、同様の方法で測定した。
【００３３】
図５に示すように、表面側機能層１９の透過スペクトルは、可視領域においては、５８０ｎｍ以上の範囲で高い透過率を有し、５８０ｎｍ未満の範囲で低い透過率を有する。言い換えれば、表面側機能層１９は、赤色の光を透過し、青色〜緑色の光を吸収するカラーフィルタである。
【００３４】
表面側機能層（カットフィルタ層）１９は、種々の形態で形成することができる。例えば、所定の波長領域を吸収する色素を用いて着色された樹脂やガラスなどの透明な板を表示パネルの前面に透明粘着層１８により接着することにより形成できる。別の形成方法として、着色した粘着シートを貼り付けることでも形成できる。さらに別の形成方法として、上記のような色素を含むインクやカラーレジストを表示パネル面に塗布して形成することもできる。また、透明電極を形成している上側基板１１を着色する方法や透明電極を形成している上側基板１１上にカットフィルタ層を成膜し、その上に透明電極を形成した基板を用いて表示パネルを形成してもよい。
【００３５】
液晶層１７を透過状態にすると、入射光のうち大部分の光は液晶層１７を通過して光吸収層１５で吸収され、黒表示になる。しかし、表面側機能層１９が設けられない場合、透明電極（走査電極およびデータ電極）の反射により青色〜緑色の光の一部（反射率）が反射され、青色の混じった暗い色になり、黒表示の品質が低下する。また、液晶層１７を反射状態にすると、入射光のうち赤色の光は液晶層１７で反射され、残りの光は液晶層１７を通過して光吸収層１５で吸収され、赤色表示になる。しかし、表面側機能層１９が設けられない場合、透明電極（走査電極およびデータ電極）の反射により青色〜緑色の光の一部（反射率）が反射され、赤色に青色の混じった彩度の低下した色になり、表示品質を低下させる。
【００３６】
これに対して、実施例１では、入射光のうち青色〜緑色の光は表面側機能層１９で吸収されるので、液晶層１７で反射される表示に使用される赤色成分のみがパネルに入射するため、透明電極（走査電極およびデータ電極）で反射される青色〜緑色の光は大幅に減少する。そのため、液晶層１７を透過状態にして黒表示を行う場合も、青色が混じることはなく、高品質の黒表示が行える。同様に、液晶層１７を反射状態にして赤色表示を行う場合も、青色が混じることはなく、高彩度の赤色表示が行える。また、表面側機能層１９は、液晶層１７で反射される表示に使用される赤色成分は吸収しないので、表示輝度を低下させることはない。
【００３７】
実施例１では、図３に示すような反射スペクトルを有する液晶層１７、すなわち赤色表示を行うパネルを使用したが、青色または緑色など他の色の表示を行うパネルを使用することも可能である。その場合、可視波長域において、透明電極（走査電極およびデータ電極）の反射が最小となる波長が、反射状態にある時の液晶層１７の反射主波長と重なるように設定する。そして、観察面側に設けられる表面側機能層（カットフィルタ層）１９は、液晶層１７が反射状態にある時に反射する波長域の光を透過し、透明電極の反射する波長の光を吸収する分光透過特性を有するようにする。
【００３８】
図６は、実施例２のコレステリック液晶を用いたカラー表示パネル１０Ｃの概略構成を示す図である。実施例２のカラー表示パネル１０Ｃは、コレステリック液晶を用いた表示パネルを３枚積層し、背面側に光吸収層１５を設け、観察面側に透明粘着層１８で表面側機能層５０を接着した構成を有する。表面側機能層５０は、ＡＧ（Anti Glare）層および保護膜として機能する。
【００３９】
積層した３枚のパネルは、それぞれ実施例１のパネルと同じ構成を有し、反射主波長が、それぞれ４８０ｎｍ（青色）、５５０ｎｍ（緑色）および６５０ｎｍ（赤色）であり、観察側から順に青色パネル、緑色パネルおよび赤色パネルの順に積層される。青色パネルと緑色パネルは、接着機能を有する第１カットフィルタ２１で接着される。緑色パネルと赤色パネルは、接着機能を有する第２カットフィルタ２２で接着される。
【００４０】
したがって、青色パネルは、複数の平行な走査電極１３Ｂを形成した上側基板１１Ｂと、複数の平行なデータ電極１４Ｂを形成した下側基板１２Ｂを対向して配置し、基板間に液晶を充填した構造を有する。上側基板１１Ｂと下側基板１２Ｂの間に、画素領域を囲むようにシール材１６Ｂが設けられ、シール材１６Ｂで囲まれた内部空間にコレステリック液晶材料が充填され、青色用液晶層が形成される。同様に、緑色パネルは、複数の平行な走査電極１３Ｇを形成した上側基板１１Ｇと、複数の平行なデータ電極１４Ｇを形成した下側基板１２Ｇを対向して配置し、基板間に液晶を充填した構造を有する。上側基板１１Ｇと下側基板１２Ｇの間に、画素領域を囲むようにシール材１６Ｇが設けられ、シール材１６Ｇで囲まれた内部空間にコレステリック液晶材料が充填され、緑色用液晶層が形成される。さらに、赤色パネルは、複数の平行な走査電極１３Ｒを形成した上側基板１１Ｒと、複数の平行なデータ電極１４Ｒを形成した下側基板１２Ｒを対向して配置し、基板間に液晶を充填した構造を有する。上側基板１１Ｒと下側基板１２Ｒの間に、画素領域を囲むようにシール材１６Ｒが設けられ、シール材１６Ｒで囲まれた内部空間にコレステリック液晶材料が充填され、赤色用液晶層が形成される。
【００４１】
赤色パネルは、反射状態にすることにより、図３に示した反射スペクトルを有する。
【００４２】
図７の（Ａ）は、緑色パネルを反射状態にした時の反射スペクトルを示す。図７の（Ｂ）は、青色パネルを反射状態にした時の反射スペクトルを示す。
【００４３】
赤色パネルの透明電極（走査電極１３Ｒおよびデータ電極１４Ｒ）は、実施例１と同様に膜厚１７０ｎｍのＩＺＯ層であり、図４に示すような反射スペクトルを有する。すなわち、赤色パネルの透明電極の反射主波長は、６５０ｎｍである。
【００４４】
緑色パネルの透明電極（走査電極１３Ｇおよびデータ電極１４Ｇ）は、膜厚１５０ｎｍのＩＺＯ層であり、図８に示すような反射スペクトルを有する。すなわち、緑色パネルの透明電極の反射主波長は、５５０ｎｍである。
【００４５】
青色パネルの透明電極（走査電極１３Ｂおよびデータ電極１４Ｂ）は、膜厚１４０ｎｍのＩＺＯ層であり、図８に示すような反射スペクトルをより短波長側にシフトした反射スペクトルを有する。すなわち、青色パネルの透明電極の反射主波長は、５３０ｎｍである。
【００４６】
第２カットフィルタ２２は、接着機能を有し、図５に示す透過スペクトルを有する。すなわち、第２カットフィルタ２２の透過スペクトルは、可視領域においては、５８０ｎｍ以上の範囲で高い透過率を有し、５８０ｎｍ未満の範囲で低い透過率を有する。言い換えれば、第２カットフィルタ２２は、赤色の光を透過し、青色〜緑色の光を吸収するカラーフィルタである。
【００４７】
第１カットフィルタ２１は、接着機能を有し、図９に示す透過スペクトルを有する。すなわち、第１カットフィルタ２１の透過スペクトルは、可視領域においては、４８０ｎｍ以上の範囲で高い透過率を有し、４８０ｎｍ未満の範囲で低い透過率を有する。言い換えれば、第１カットフィルタ２１は、緑色および赤色の光を透過し、青色の光を吸収するカラーフィルタである。
【００４８】
実施例２のカラー表示パネルの３枚のパネルは、実施例１の走査電極駆動回路４１およびデータ電極駆動回路４２により、それぞれ駆動できる。走査電極駆動回路４１は、共通化して１個の回路で、３枚のパネルの走査電極１３Ｂ、１３Ｇおよび１３Ｒをまとめて駆動することができる。
【００４９】
実施例２のカラー表示パネル１０Ｃでは、３枚目の赤色パネルの透明電極の反射色は青色〜緑色であり、第２カットフィルタ２２により遮断される。また、２枚目の緑色パネルの透明電極の反射色は青色および赤色を含むマゼンタ色であり、第１カットフィルタ２１により青色の部分が遮断される。
【００５０】
１枚目の青色パネルの透明電極の反射色および２枚目の緑色パネルの透明電極の反射色のうちの赤色は遮断されず、青色および少しの緑色が混じった黒表示になる。しかし、３枚のパネルの透明電極の反射光がすべて反射する場合に比べれば、透明電極の反射光は大幅に低減できる。
【００５１】
例えば、実施例２のカラー表示パネルの黒表示時、すなわち３枚のパネルの液晶層をすべて透過状態にした時の表示色は、Ｌａｂ空間の表示で、ａ＊＝６．２，ｂ＊＝２．４であり、無彩色に近い黒表示が得られた。
【００５２】
以上、コレステリック液晶を利用する表示パネルを例として説明したが、光を透過する状態と反射する状態の間で切り換えて表示を行う反射材料層であれば、ほかの材料を使用することが可能である。具体的には、コレステリック液晶以外の反射型液晶材料、エレクトロクロミック材料、エレクトロデポジション材料などが使用できる。このような材料の中でも、液晶材料は光を透過した時に散乱が大きいので、複数枚の表示パネルを張り合わせた積層型表示パネルにおいて、大きな効果が得られる。
【００５３】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【００５４】
１１    上側基板
１２    下側基板
１３    走査電極
１４    データ電極
１５    光吸収層
１６    シール材
１７    液晶層
１９    表面側機能層
４１    走査電極駆動回路
４２    データ電極駆動回路
【図１】
2012208164.tif 000003
【図２】
2012208164.tif 000004
【図３】
2012208164.tif 000005
【図４】
2012208164.tif 000006
【図５】
2012208164.tif 000007
【図６】
2012208164.tif 000008
【図７】
2012208164.tif 000009
【図８】
2012208164.tif 000010
【図９】
2012208164.tif 000011